(57)【要約】【課題】テンションバーが移動体の移動方向と直交する方向に変位しても、テンションバーによりフラットケーブルを適切に支持できる画像処理装置を提供する。【解決手段】画像処理装置１は、読取ヘッド５が装着されるキャリッジ５０と、キャリッジ５０を収容し底壁３１Ａと後側壁３１Ｂとを有する筐体３１と、第１固定部６０ａと第２固定部６０ｂと湾曲部６０ｃとを有するＦＦＣ６０と、キャリッジ５０に固定されるホルダ７０と、ホルダ７０の保持部７１により第１方向にスライド可能に保持され、上面８０ａと上端面８１ａを含む上側リブ８１とを有するテンションバー８０とを備え、上側リブ８１の上端面８１ａは、テンションバー８０がＦＦＣ６０の張力により後側壁３１Ｂに最も近接する位置に変位したときに、第１方向及び第２方向の両方に直交する第３方向から見て、上側リブ８１の第１方向における全長に亘って連続的にＦＦＣ６０の湾曲部６０ｃと重複する。【選択図】図８
2019125973.tif 000002
【特許請求の範囲】
【請求項１】
第１方向に沿って往復移動する移動体と、
前記移動体を収容する筐体であって、前記移動体の下方に配置された底壁と、前記第１方向と直交する第２方向において前記移動体の一側に配置される側壁とを有する筐体と、
前記移動体に固定された第１固定部と、前記筐体の前記底壁に固定された第２固定部と、前記第１固定部と前記第２固定部とを繋ぐ湾曲部とを有するフラットケーブルと、
前記移動体と前記側壁との間に配置され、前記移動体に固定されるホルダと、
前記第１方向に沿って長尺であり、前記ホルダにより前記第１方向にスライド可能に保持されたテンションバーであって、上面と、前記上面から上方へ突出し、前記フラットケーブルにおける前記湾曲部の内周面を支持する上端面を含む上側リブと、を有するテンションバーと、を備え、
前記上側リブの前記上端面は、
前記テンションバーが前記フラットケーブルの張力により前記側壁に最も近接する位置に変位したときに、前記第１方向及び前記第２方向の両方に直交する第３方向から見て、前記上側リブの前記第１方向における全長に亘って連続的に前記フラットケーブルの前記湾曲部と重複することを特徴とする画像処理装置。
【請求項２】
前記テンションバーは、前記第２方向において前記側壁に最も近い第１側面を有し、
前記テンションバーの前記第１側面は、前記第２方向において、前記側壁と前記上側リブとの間の距離よりも、前記側壁と前記テンションバーの前記第１側面との間の距離の方が短くなる位置に配置されていることを特徴とする請求項１に記載の画像処理装置。
【請求項３】
前記テンションバーは、前記第２方向において前記移動体に最も近い第２側面を有し、
前記ホルダは、前記テンションバーの前記第１側面と対面する第１保持面と、前記テンションバーを挟んで前記第１保持面とは反対側に配置され、前記第２側面と対面する第２保持面とを有し、
前記第２保持面の前記第３方向における寸法は、前記第１保持面の前記第３方向における寸法よりも大きい、ことを特徴とする請求項１または請求項２に記載の画像処理装置。
【請求項４】
前記上側リブは、前記テンションバーの前記上面と前記上側リブの前記上端面とを繋ぐリブ側面であって、前記筐体の前記側壁の側を向く前記リブ側面を有し、
前記ホルダは、前記テンションバーの前記上面と前記リブ側面との間で形成される空間に配置されたホルダ突起部を有することを特徴とする請求項２または請求項３に記載の画像処理装置。
【請求項５】
前記テンションバーは、
前記第１方向の先端側に配置され、前記フラットケーブルにおける前記湾曲部の内周面に当接するヘッド部を有し、
前記ヘッド部は、前記筐体の前記側壁の側へ向けて突出するヘッド突起部を有し、
前記ヘッド突起部は、
前記第２方向において、前記ヘッド突起部と前記側壁との間の距離が、前記テンションバーの前記第１側面と前記側壁との間の距離よりも短くなる位置に配置されていることを特徴とする請求項１〜請求項４の何れか一項に記載の画像処理装置。
【請求項６】
前記テンションバーは、
下方へ向けて突出し、前記フラットケーブルにおける前記湾曲部の内周面を支持する下側リブを有することを特徴とする請求項１〜請求項５の何れか一項に記載の画像処理装置。
【発明の詳細な説明】
【技術分野】
【０００１】
本発明は、画像処理装置に関する。
【背景技術】
【０００２】
従来、画像読取装置、画像形成装置、複写機等の画像処理装置においては、原稿を読み取る読取ヘッドやインクを吐出する吐出ヘッド等のように筐体内を移動する移動体が設けられている。このような移動体には、一般的に、制御部との間で信号の授受を行うためのフラットケーブルが接続されている。
【０００３】
特許文献１に開示される画像読取装置においては、移動体は筐体内を往復移動可能に構成されており、フラットケーブルは、移動体に固定された第１固定部と、筐体の底壁に固定された第２固定部と、第１固定部と第２固定部との間に配置され第１固定部側から第２固定部側へ向けて湾曲した湾曲部とを有している。フラットケーブルは可撓性を有しており、移動体の移動に伴って形状および姿勢が変化する。
【０００４】
また、特許文献１に開示される画像読取装置においては、移動体の移動に伴って変化するフラットケーブルの形状および姿勢を規制するために、フラットケーブルにおける湾曲部の内周面を支持するテンションバーが設けられている。
テンションバーは、移動体の移動方向に沿って延出するバー本体と、バー本体の上面から上方へ突出するリブとを有しており、リブの上端面がフラットケーブルにおける湾曲部の内周面を支持するように構成されている。
【先行技術文献】
【特許文献】
【０００５】
【特許文献１】特開２０１１−１８０３６６号公報
【発明の概要】
【発明が解決しようとする課題】
【０００６】
上述の特許文献１の画像読取装置においては、移動体の移動に伴って、テンションバーにフラットケーブルの張力が作用することがある。
テンションバーにフラットケーブルの張力が作用すると、テンションバーが移動体の移動方向と直交する変位方向に変位する。テンションバーがこのように変位すると、リブの上端面がフラットケーブルの湾曲部から外れ、フラットケーブルを適切に支持できなくなることがある。ここで、「リブの上端面がフラットケーブルの湾曲部から外れる」とは、「上記テンションバーの変位方向及び上記移動体の移動方向の両方と直交する方向から見て、リブの上端面の一部又は全部がフラットケーブルの湾曲部と重複しない」ことを意味する。
【０００７】
そこで、本発明においては、テンションバーにフラットケーブルの張力が作用して、テンションバーが移動体の移動方向と直交する方向に変位した場合でも、テンションバーによりフラットケーブルを適切に支持することができる画像処理装置を提供するものである。
【課題を解決するための手段】
【０００８】
上記課題を解決する画像処理装置は、以下の特徴を有する。
即ち、画像処理装置は、第１方向に沿って往復移動する移動体と、前記移動体を収容する筐体であって、前記移動体の下方に配置された底壁と、前記第１方向と直交する第２方向において前記移動体の一側に配置される側壁とを有する筐体と、前記移動体に固定された第１固定部と、前記筐体の前記底壁に固定された第２固定部と、前記第１固定部と前記第２固定部とを繋ぐ湾曲部とを有するフラットケーブルと、前記移動体と前記側壁との間に配置され、前記移動体に固定されるホルダと、前記第１方向に沿って長尺であり、前記ホルダにより前記第１方向にスライド可能に保持されたテンションバーであって、上面と、前記上面から上方へ突出し、前記フラットケーブルにおける前記湾曲部の内周面を支持する上端面を含む上側リブと、を有するテンションバーと、を備え、前記上側リブの前記上端面は、前記テンションバーが前記フラットケーブルの張力により前記側壁に最も近接する位置に変位したときに、前記第１方向及び前記第２方向の両方に直交する第３方向から見て、前記上側リブの前記第１方向における全長に亘って連続的に前記フラットケーブルの前記湾曲部と重複する。
【発明の効果】
【０００９】
本発明によれば、テンションバーがフラットケーブルの張力によって移動体の移動方向と直交する方向に変位した場合でも、テンションバーによりフラットケーブルを適切に支持することができる。
【図面の簡単な説明】
【００１０】
【図１】画像処理装置を示す斜視図である。
【図２】画像読取部を示す斜視図である。
【図３】画像読取部における筐体の内部を示す斜視図である。
【図４】読取ヘッドが装着されたキャリッジおよびホルダに保持されたテンションバーを示す斜視図である。
【図５】（ａ）はキャリッジが可動範囲の右端にある状態の画像読取部を示す正面断面図、（ｂ）はキャリッジが可動範囲の右端から左方へ移動してテンションバーがＦＦＣ湾曲部に当接した状態の画像読取部を示す正面断面図、（ｃ）はキャリッジが初期位置にある状態の画像読取部を示す正面断面図である。
【図６】図８のＡ−Ａ断面図である。
【図７】図８のＢ−Ｂ断面図である。
【図８】テンションバーが湾曲して筐体の後側壁に当接した状態を示す平面図である。
【図９】ヘッド部に突起部を有するテンションバーを示す斜視図である。
【図１０】ヘッド部に突起部を有するテンションバーを備えた画像読取部を示す平面図である。
【図１１】ヘッド部に突起部を有するテンションバーを備えた画像読取部を示す左側面断面図である。
【図１２】下方へ向けて突出する支持部を有するテンションバーを示す斜視図である。
【図１３】斜め下方に屈曲した屈曲部にヘッド部を有するテンションバーを示す斜視図である。
【発明を実施するための形態】
【００１１】
次に、本発明を実施するための形態を、添付の図面を用いて説明する。
【００１２】
[画像処理装置の全体構成]
図１に示す画像処理装置１は、本発明に係る画像処理装置１の一実施形態であり、画像読取機能、プリント機能およびコピー機能等の画像形成機能、ならびにファクシミリ送受信機能等を備えた複合機として構成されている。
以下の説明においては、図１に示すように、操作パネル２２が設けられた側を画像処理装置１の前側と規定し、画像処理装置１を操作パネル２２に向かってみたときに左手にくる側を画像処理装置１の左側と規定して、前後、左右、および上下の方向を表す。左右方向は第１方向の一例であり、前後方向は第１方向と直交する第２方向の一例であり、上下方向は第１方向及び第２方向の両方に直交する第３方向の一例である。
【００１３】
画像処理装置１は、本体部２と、本体部２の上方に配置される画像読取部３と、画像読取部３の上方に配置される自動原稿搬送部４とを備えている。
本体部２はシートに画像を形成する画像形成部を収容している。本体部２の下部にはシートを収容するシートカセット２１が設けられている。本体部２の前側上部には、画像処理装置１に対する入力操作を行う操作部、および画像処理装置１の動作状態等を表示する表示部を備えた操作パネル２２が設けられている。
【００１４】
自動原稿搬送部４は、自動原稿搬送部４に載置された複数枚の原稿を１枚ずつ分離して画像読取部３へ順次搬送する、所謂ＡＤＦ（Ａｕｔｏｍａｔｉｃ  Ｄｏｃｕｍｅｎｔ  Ｆｅｅｄｅｒ）装置である。
画像読取部３は、フラットベッド型イメージスキャナとしての機能を有している。また、画像読取部３は、自動原稿搬送部４と協働することによりＡＤＦ型イメージスキャナとして機能する。
【００１５】
[画像読取部の構成]
図１、図２に示すように、画像読取部３は、筐体３１と、筐体３１の上部を覆うカバー部材３２とを有している。カバー部材３２にはプラテンガラス３３が取り付けられている。プラテンガラス３３の上面は、第１領域３３ａと第２領域３３ｂとに区画されている。
【００１６】
第１領域３３ａは、画像読取部３がフラットベッド型イメージスキャナとして利用される際に原稿が載置される原稿載置面である。第２領域３３ｂは、画像読取部３がＡＤＦ型イメージスキャナとして利用される際に、自動原稿搬送部４によって搬送される原稿が接触しつつ通過する部分である。
【００１７】
なお、本実施形態においては、１枚のプラテンガラス３３を用いて第１領域３３ａと第２領域３３ｂとを構成しているが、第１領域３３ａと第２領域３３ｂとを別々のプラテンガラスによって構成することも可能である。
【００１８】
図３に示すように、筐体３１は、底壁３１Ａと、後側壁３１Ｂと、前側壁３１Ｃと、左側壁３１Ｄと、右側壁３１Ｅとを有している。後側壁３１Ｂは底壁３１Ａの後端縁部から上方に突出し、前側壁３１Ｃは底壁３１Ａの前端縁部から上方に突出し、左側壁３１Ｄは底壁３１Ａの左端縁部から上方に突出し、右側壁３１Ｅは底壁３１Ａの左端縁部から上方に突出している。
【００１９】
画像読取部３は、読取ヘッド５、キャリッジ５０、走査機構５１、フレキシブルフラットケーブル（以降、「ＦＦＣ」と記載する）６０、ホルダ７０、およびテンションバー８０を有している。読取ヘッド５、キャリッジ５０、走査機構５１、ＦＦＣ６０、ホルダ７０、およびテンションバー８０は、筐体３１内に収容されている。ＦＦＣ６０は、フラットケーブルの一例である。
筐体３１の後側壁３１Ｂと前側壁３１Ｃとの間にはガイドレール３１Ｆが形成されている。ガイドレール３１Ｆは、底壁３１Ａから上方に突出しており、筐体３１の左端部から右端部に亘って形成されている。
【００２０】
キャリッジ５０は、前後方向に沿って長尺に形成されており、前後方向において前側壁３１Ｃの近傍から後側壁３１Ｂの近傍までに亘って配置されている。キャリッジ５０は、ガイドレール３１Ｆに対して摺動可能に嵌合するガイド部５０ａを有している。キャリッジ５０は、ガイド部５０ａがガイドレール３１Ｆに嵌合することで、ガイドレール３１Ｆに案内されながら左右方向へ往復移動可能となっている。
【００２１】
読取ヘッド５は、前後方向に沿って長尺に形成されている。読取ヘッド５は、例えば密着イメージメンサ（Ｃｏｎｔａｃｔ  Ｉｍａｇｅ  Ｓｅｎｓｏｒ）にて構成されており、読取ヘッド５が有する複数の読取素子は前後方向に沿って配列されている。
【００２２】
読取ヘッド５は、キャリッジ５０に装着されており、キャリッジ５０と一体的に左右方向へ往復移動可能に構成されている。読取ヘッド５の下方には筐体３１の底壁３１Ａが配置されている。キャリッジ５０および読取ヘッド５は、第１方向に沿って往復移動する移動体の一例である。
読取ヘッド５の後方には筐体３１の後側壁３１Ｂが配置されている。後側壁３１Ｂは、第２方向において移動体の一側に配置される側壁の一例である。
【００２３】
走査機構５１は、駆動プーリ５２、従動プーリ５３、およびタイミングベルト５４を有している。
駆動プーリ５２は、筐体３１内の左端部においてガイドレール３１Ｆに近接して配置されている。従動プーリ５３は、筐体３１内の右端部においてガイドレール３１Ｆに近接して配置されている。
【００２４】
タイミングベルト５４は、駆動プーリ５２と従動プーリ５３とに巻き掛けられた無端ベルトであり、ガイドレール３１Ｆに沿って左右方向に延びている。タイミングベルト５４のうち、前後方向においてガイドレール３１Ｆの近くに配置される部分は、キャリッジ５０に連結される連結部５４ａを有している。
【００２５】
駆動プーリ５２は画像読取部３が備える駆動源により駆動され、正転方向と、逆転方向とに回転可能に構成されている。
駆動プーリ５２が正転方向に回転すると、タイミングベルト５４の連結部５４ａが左側から右側へ向かって移動する。これにより、キャリッジ５０および読取ヘッド５も左側から右側へ向かって一体的に移動する。
【００２６】
一方、駆動プーリ５２が逆転方向に回転すると、タイミングベルト５４の連結部５４ａが右側から左側へ向かって移動する。これにより、キャリッジ５０および読取ヘッド５も右側から左側へ向かって一体的に移動する。
このように、読取ヘッド５は、駆動プーリ５２の正転方向および逆転方向の回転により、筐体３１内を左右方向に往復移動可能となっている。
【００２７】
ＦＦＣ６０は、可撓性を有する帯状のケーブルであり、幅方向に並んだ複数本の導体を絶縁フィルムにて連結することにより構成されている。ＦＦＣ６０は、キャリッジ５０に固定された第１固定部６０ａと、筐体３１の底壁３１Ａに固定された第２固定部６０ｂと、第１固定部６０ａと第２固定部６０ｂとを繋ぐ湾曲部６０ｃとを有している。
【００２８】
キャリッジ５０の後側端部にはケーブル保持部５６が設けられており、第１固定部６０ａはケーブル保持部５６に保持されることによりキャリッジ５０に固定されている。湾曲部６０ｃは、第１固定部６０ａから左方へ延びて下方へ湾曲した後、底壁３１Ａに沿って右方へ延びて第２固定部６０ｂに至っている。湾曲部６０ｃにおいて下方へ湾曲している部分は、第１固定部６０ａおよび第２固定部６０ｂよりも左側に配置されている。湾曲部６０ｃは筐体３１の後側壁６０Ｂに隣接して配置されている。
【００２９】
ＦＦＣ６０は、第１固定部６０ａを挟んで湾曲部６０ｃとは反対側へさらに延びて、図示しないコネクタを介して読取ヘッド５と電気的に接続されている。ＦＦＣ６０は、第２固定部６０ｂを挟んで湾曲部６０ｃとは反対側へさらに延びて、本体部２内に設けられた図示しない制御部と電気的に接続されている。
【００３０】
ホルダ７０は、キャリッジ５０の後側端部に固定されており、キャリッジ５０と後側壁３１Ｂとの間に配置されている。ホルダ７０は、保持部７１を有している。
図４に示すように、テンションバー８０は、左右方向に沿って長尺となる長尺部材であり、ホルダ７０の保持部７１により左右方向にスライド可能に保持されている。
【００３１】
テンションバー８０は、上面８０ａと、上面８０ａから上方へ突出する上側リブ８１とを有している。上側リブ８１は上端面８１ａを有している。上面８０ａおよび上端面８１ａは、左右方向に沿って延びている。上側リブ８１の上端面８１ａは、ＦＦＣ６０の湾曲部６０ｃにおける内周面を支持する。
テンションバー８０は、左端部にヘッド部８２を有している。
【００３２】
テンションバー８０は、上下方向においてＦＦＣ６０の第１固定部６０ａと第２固定部６０ｂとの間に配置されている。ＦＦＣ６０における湾曲部６０ｃの左端は、テンションバー８０におけるヘッド部８２よりも左方に位置している。
ヘッド部８２は、左方へ凸となる円弧曲面を有しており、テンションバー８０がキャリッジ５０とともに左方へ移動した際にＦＦＣ６０の湾曲部６０ｃの内周面に当接するように構成されている。
【００３３】
このように構成される画像読取部３をフラットベッド型イメージスキャナとして利用する場合、キャリッジ５０は、左右方向における可動範囲の左端に位置する初期位置から右方へ往動し、可動範囲の右端に至った後に左方へ復動して初期位置に復帰する。この場合、読取ヘッド５は、キャリッジ５０が右方へ往動するときに、プラテンガラス３３の第１領域３３ａに載置された原稿の画像を読み取る。
【００３４】
図５（ａ）に示すように、キャリッジ５０が可動範囲の右端にある場合、テンションバー８０の右端は右側壁３１Ｅに当接しており、テンションバー８０の右端部がホルダ７０に保持されている。この状態においては、テンションバー８０はホルダ７０から左方へ延出した状態となっている。
キャリッジ５０が可動範囲の右端にある状態では、ＦＦＣ６０における湾曲部６０ｃの左端に位置する下方へ湾曲している部分は、左右方向においてヘッド部８２から離間している。
【００３５】
図５（ａ）に示す状態からキャリッジ５０が左方へ移動すると、テンションバー８０もキャリッジ５０と一体的に左方に移動する。また、ＦＦＣ６０の第１固定部６０ａもキャリッジ５０と一体的に左方に移動する。
第１固定部６０ａが左方へ移動すると、湾曲部６０ｃは第１固定部６０ａにより左方に押し出されるが、第１固定部６０ａにより押し出される湾曲部６０ｃが撓んで、湾曲部６０ｃの上方に位置するプラテンガラス３３の下面に接触することがある（図５（ａ）における２点鎖線を参照）。
【００３６】
湾曲部６０ｃがプラテンガラス３３の下面に接触すると、その接触箇所に摩擦抵抗が生じて、湾曲部６０ｃの撓みが増大することがある。このように、湾曲部６０ｃの撓みが増大すると、ＦＦＣ６０に座屈が生じるおそれがある。
【００３７】
しかし、画像読取部３においては、キャリッジ５０が可動範囲の右端から左方へ移動すると、左右方向におけるテンションバー８０のヘッド部８２とＦＦＣ６０の湾曲部６０ｃとの距離が減少し、図５（ｂ）に示すように、やがてヘッド部８２が湾曲部６０ｃの内周面に当接するようになる。
【００３８】
これは、キャリッジ５０が左方へ移動した際の湾曲部６０ｃの移動距離が、キャリッジ５０の移動距離よりも短いためである。詳しくは、ＦＦＣ６０は湾曲部６０ｃの左端において略Ｕ字状に湾曲しているため、キャリッジ５０が左方へ移動した際の湾曲部６０ｃの左端の左方への移動距離は、キャリッジ５０の左方への移動距離の約半分となる。これにより、キャリッジ５０とともに左方へ移動するテンションバー８０のヘッド部８２がＦＦＣ６０の湾曲部６０ｃに追い付いて、湾曲部６０ｃの内周面に当接することとなる。
【００３９】
テンションバー８０のヘッド部８２がＦＦＣ６０の湾曲部６０ｃに当接した後に、キャリッジ５０がさらに左方へ移動すると、ＦＦＣ６０の湾曲部６０ｃがテンションバー８０のヘッド部８２により左方へ押圧される。これにより、湾曲部６０ｃの撓みが解消されてＦＦＣ６０に張力が付与されるようになり、ＦＦＣ６０に座屈が生じることが抑制される。
【００４０】
キャリッジ５０がさらに左方へ移動すると、湾曲部６０ｃの左端の左方への移動距離がテンションバー８０の左方への移動距離よりも短いため、ＦＦＣ６０の張力が湾曲部６０ｃを通じてテンションバー８０に作用し、テンションバー８０が湾曲部６０ｃにより右方に押圧されるようになる。テンションバー８０は、湾曲部６０ｃによって右方に押圧されると、キャリッジ５０に対して相対的に右方へ移動することとなる。
【００４１】
その後、図５（ｃ）に示すように、キャリッジ５０が初期位置まで移動する間、テンションバー８０のヘッド部８２がＦＦＣ６０の湾曲部６０ｃに当接して、ＦＦＣ６０の張力がテンションバー８０に作用するとともに、テンションバー８０がキャリッジ５０に対して相対的に右方へ移動する状態が保持される。
【００４２】
このように、キャリッジ５０が左方へ移動する際にＦＦＣ６０の張力がテンションバー８０に作用すると、テンションバー８０がキャリッジ５０の移動方向と直交する方向である前後方向に変位することがある。ここで、「変位」とは「撓むこと」及び「機械的な遊びにより移動すること」の少なくとも何れか一つを意味する。ここで、「機械的な遊び」とは、例えば、テンションバーとホルダとの間の機械的な遊びを指す。
しかし、画像読取部３においては、テンションバー８０が前後方向に変位した場合でも、テンションバー８０によりＦＦＣ６０を適切に支持できるように、テンションバー８０およびホルダ７０を次のように構成している。
【００４３】
[テンションバーおよびホルダの構成]
テンションバー８０およびホルダ７０の構成について説明する。
図６に示すように、テンションバー８０は、前後方向において後側壁３１Ｂに最も近い位置に配置される第１側面８０ｂを有している。第１側面８０ｂは、テンションバー８０において最も後側に位置する側面である。また、テンションバー８０は、前後方向においてキャリッジ５０に最も近い位置に配置される第２側面８０ｃを有している。第２側面８０ｃは、テンションバー８０において最も前側に位置する側面である。
【００４４】
テンションバー８０の上側リブ８１は、テンションバー８０の上面８０ａと上側リブ８１の上端面８１ａとを繋ぐリブ側面８１ｂを有している。リブ側面８１ｂは、筐体３１の後側壁３１Ｂの側を向いている。リブ側面８１ｂは、テンションバーの上面とリブの上端面とを繋ぐ側面であって、第２方向において移動体の一側に配置される側壁の側を向く側面の一例である。
【００４５】
リブ側面８１ｂは、前後方向において第１側面８０ｂよりも前側に配置されており、前後方向における後側壁３１Ｂとリブ側面８１ｂとの間の距離ｄ２よりも、前後方向における後側壁３１Ｂと第１側面８０ｂとの間の距離ｄ１の方が短くなっている。つまり、第１側面８０ｂは、前後方向において距離ｄ２よりも距離ｄ１の方が短くなる位置に配置されている。なお、距離ｄ２は、後側壁３１Ｂとリブ側面８１ｂとの間の距離でもある。
【００４６】
従って、図７に示すように、テンションバー８０がＦＦＣ６０の張力によって前後方向において最も後側壁３１Ｂに近接する位置に変位したとき、例えばＦＦＣ６０の張力によってテンションバー８０が後側に湾曲して第１側面８０ｂが後側壁３１Ｂに当接したときでも、後側壁３１Ｂとリブ側面８１ｂとの間には空間が形成され、上側リブ８１は後側壁３１Ｂから離れた位置に存在している。なお、図７においては、ホルダ７０における保持部７１の図示を省略している。
【００４７】
さらに、テンションバー８０が最も後側壁３１Ｂと近接する位置に変位したときに、上側リブ８１の上端面８１ａは上下方向から見てＦＦＣ６０の湾曲部６０ｃと重複する位置に配置されている。この場合、図８に示すように、上側リブ８１の上端面８１ａは、上下方向から見て、上側リブ８１の左右方向における全長に亘って連続的にＦＦＣ６０の湾曲部６０ｃと重複している。ここで、「上側リブ８１の上端面８１ａは、上下方向から見て、上側リブ８１の左右方向における全長に亘って連続的にＦＦＣ６０の湾曲部６０ｃと重複している。」とは、「上側リブ８１の上端面８１ａは、上下方向から見て、上側リブ８１の上端面８１ａの全てがＦＦＣ６０の湾曲部６０ｃと重複している。」という形態を含む。なお、上下方向は、第１方向および第２方向の両方に直交する第３方向の一例である。
【００４８】
これにより、テンションバー８０がＦＦＣ６０の張力によって後側壁３１Ｂ側へ押し出された場合でも、上側リブ８１の上端面８１ａとＦＦＣ６０の湾曲部６０ｃとのかかり量を確保することができ、上側リブ８１の上端面８１ａによりＦＦＣ６０の湾曲部６０ｃを支持して、ＦＦＣ６０の座屈を抑制することが可能となっている。
【００４９】
また、図６に示すように、ホルダ７０の保持部７１は、テンションバー８０の第１側面８０ｂと対面する第１保持面７１ａと、テンションバー８０を挟んで第１保持面７１ａとは反対側に配置され、テンションバー８０の第２側面８０ｃと対面する第２保持面７１ｂとを有している。
【００５０】
テンションバー８０の第１側面８０ｂは第１保持面７１ａにより支持され、テンションバー８０の第２側面８０ｃは第２保持面７１ｂにより支持される。
テンションバー８０の第１側面８０ｂおよび第２側面８０ｃが、それぞれ保持部７１の第１保持面７１ａおよび第２保持面７１ｂにより支持されることで、テンションバー８０の前後方向への変位が規制されて位置決めがなされている。
【００５１】
この場合、保持部７１においては、第２保持面７１ｂの上下方向における寸法は第１保持面７１ａの上下方向における寸法よりも大きく形成されている。
このように、テンションバー８０の第２側面８０ｃを、第１保持面７１ａよりもキャリッジ５０側に配置されるとともに大きな面積を有する第２保持面７１ｂにより支持することで、テンションバー８０のキャリッジ５０に対する前後方向の位置決めを、より高精度に行うことが可能となっている。
【００５２】
また、ホルダ７０の保持部７１は、テンションバー８０の上面８０ａと上側リブ８１のリブ側面８１ｂとの間で形成される空間（上面８０ａの上方かつリブ側面８１ｂの後方に位置する空間）に配置されるホルダ突起部７１ｃを有している。
テンションバー８０の上面８０ａおよび上側リブ８１のリブ側面８１ｂは、それぞれホルダ突起部７１ｃにより支持される。テンションバー８０の上面８０ａがホルダ突起部７１ｃにより支持されることで、テンションバー８０の上方への変位が規制される。上側リブ８１のリブ側面８１ｂがホルダ突起部７１ｃにより支持されることで、上側リブ８１の後方への変位が規制される。
【００５３】
このように、テンションバー８０の上面８０ａおよび上側リブ８１のリブ側面８１ｂをホルダ突起部７１ｃにより支持することで、上側リブ８１が後側壁３１Ｂ側へ変位したり、テンションバー８０が捩れたりすることを抑制可能となっている。
【００５４】
[テンションバーの第２実施形態]
テンションバー８０は、図９〜図１１に示すテンションバー１８０のように構成することもできる。テンションバー１８０は、ヘッド部１８２にヘッド突起部１８２ａを有する点で、ヘッド部８２にヘッド突起部を有しないテンションバー８０と異なっており、その他の構成はテンションバー８０と同様である。
テンションバー１８０は、上面１８０ａと、上面１８０ａから上方へ突出する上側リブ１８１とを有している。上側リブ１８１は上端面１８１ａおよびリブ側面１８１ｂを有している。テンションバー１８０は、後側壁３１Ｂに最も近い位置に配置される第１側面１８０ｂを有している。
【００５５】
テンションバー１８０は、左端部にヘッド部１８２を有している。ヘッド部１８２は左方へ凸となる円弧曲面を有しており、テンションバー１８０がキャリッジ５０とともに左方へ移動した際に、ＦＦＣ６０における湾曲部６０ｃの内周面に当接する。ヘッド部１８２はヘッド突起部１８２ａを有している。テンションバー１８０の左端部は、テンションバーにおける第１方向の先端側の部分の一例である。
【００５６】
ヘッド突起部１８２ａは、ヘッド部１８２から後側壁３１Ｂ側へ向けて突出する部分であり、テンションバー１８０の第１側面１８０ｂよりも後側壁３１Ｂ側に位置している。
つまり、ヘッド突起部１８２ａは、前後方向においてヘッド突起部１８２ａと後側壁３１Ｂとの間の距離ｄ３が、テンションバー１８０の第１側面１８０ｂと後側壁３１Ｂとの間の距離ｄ１よりも短くなる位置に配置されている。また、ヘッド突起部１８２ａと後側壁３１Ｂとの間の距離ｄ３は、後側壁３１Ｂとリブ側面１８１ｂとの間の距離ｄ２よりも短くなっている。
【００５７】
このように、テンションバー１８０においては、ヘッド部１８２がヘッド突起部１８２ａを有しているため、テンションバー１８０が後側壁３１Ｂ側に変位した場合、ヘッド突起部１８２ａが最初に後側壁３１Ｂに当接することになり、テンションバー１８０がそれ以上後側壁３１Ｂ側へ変位することが規制される。これにより、上側リブ１８１の上端面１８１ａとＦＦＣ６０の湾曲部６０ｃとの前後方向におけるかかり量を確保することができ、ＦＦＣ６０の座屈耐性を向上することが可能となっている。
【００５８】
[テンションバーの第３実施形態]
テンションバー８０は、図１２に示すテンションバー２８０のように構成することもできる。テンションバー２８０は、左端部に下側リブ２８３を有する点で、下側リブを有しないテンションバー８０と異なっており、その他の構成はテンションバー８０と同様である。
テンションバー２８０は、上面２８０ａと、上面２８０ａから上方へ突出する上側リブ２８１とを有している。リブ２８１は上端面２８１ａを有している。
【００５９】
テンションバー２８０は、左端部にヘッド部２８２を有している。ヘッド部２８２は左方へ凸となる円弧曲面を有しており、テンションバー２８０がキャリッジ５０とともに左方へ移動した際に、ＦＦＣ６０における湾曲部６０ｃの内周面に当接する。
テンションバー２８０は、左端部に下方へ向けて突出する下側リブ２８３を有している。下側リブ２８３は、テンションバー２８０の左端部が下方へ変位した際にＦＦＣ６０の湾曲部６０ｃの内周面を支持する。
【００６０】
具体的には、ＦＦＣ６０の湾曲部６０ｃがテンションバー２８０とプラテンガラス３３との間で撓んでテンションバー２８０およびプラテンガラス３３に当接した場合、テンションバー２８０がＦＦＣ６０により下方へ押圧される。
【００６１】
テンションバー２８０がＦＦＣ６０に押圧されて下方へ変位すると、下側リブ２８３が湾曲部６０ｃの内周面に当接して、テンションバー２８０のそれ以上の下方への変位が規制される。これにより、テンションバー２８０が過度に下方へ変位することがなく、テンションバー２８０の上端面２８１ａにより湾曲部６０ｃを適切に支持することができ、ＦＦＣ６０に座屈が発生することを抑制可能となる。
【００６２】
また、テンションバー２８０がＦＦＣ６０に押圧されて下方へ変位した場合、下側リブ２８３が湾曲部６０ｃの内周面に当接して、湾曲部６０ｃが下側リブ２８３により下方へ押し下げられる。湾曲部６０ｃが下方へ押し下げられると、ＦＦＣ６０のプラテンガラス３３に対する当接圧力が減少し、ＦＦＣ６０とプラテンガラス３３との間に生じる摩擦力を小さくすることができるため、ＦＦＣ６０の撓み度合が増大することなく、ＦＦＣ６０に座屈が発生することを抑制可能である。
【００６３】
[テンションバーの第４実施形態]
テンションバー８０は、図１３に示すテンションバー３８０のように構成することもできる。テンションバー３８０は、左端部に斜め下方に屈曲した屈曲部３８２を有するとともに、屈曲部３８２の先端にヘッド部３８３を有している点で、屈曲部を有しないテンションバー８０と異なっており、その他の構成はテンションバー８０と同様である。
テンションバー３８０は、上面３８０ａと、上面３８０ａから上方へ突出する上側リブ３８１とを有している。上側リブ３８１は上端面３８１ａを有している。
【００６４】
テンションバー３８０は、左端部に斜め下方に屈曲した屈曲部３８２を有している。テンションバー３８０は、屈曲部３８２の先端にヘッド部３８３を有している。ヘッド部３８３は左下方へ凸となる円弧曲面を有しており、テンションバー３８０がキャリッジ５０とともに左方へ移動した際に、ＦＦＣ６０における湾曲部６０ｃの内周面に当接する。
ヘッド部３８３は、テンションバー３８０の左端部が下方へ変位した際にＦＦＣ６０の湾曲部６０ｃの内周面を下方へ押圧する。
【００６５】
具体的には、ＦＦＣ６０の湾曲部６０ｃがテンションバー３８０とプラテンガラス３３との間で撓んでテンションバー３８０およびプラテンガラス３３に当接すると、テンションバー３８０がＦＦＣ６０により下方へ押圧される。テンションバー３８０がＦＦＣ６０に押圧されて下方へ変位すると、湾曲部６０ｃの内周面に当接しているヘッド部３８３が湾曲部６０ｃを下方へ押し下げる。
【００６６】
湾曲部６０ｃが下方へ押し下げられると、ＦＦＣ６０のプラテンガラス３３に対する当接圧力が減少し、ＦＦＣ６０とプラテンガラス３３との間に生じる摩擦力を小さくすることができるため、ＦＦＣ６０の撓み度合が増大することなく、ＦＦＣ６０に座屈が発生することを抑制可能である。つまり、テンションバー３８０においては、ヘッド部３８３は、下方へ向けて突出し、湾曲部６０ｃの内周面を支持する下側リブの機能を有している。
【００６７】
また、テンションバー３８０がＦＦＣ６０に押圧されて下方へ変位すると、湾曲部６０ｃの内周面に当接するヘッド部３８３により、テンションバー３８０のそれ以上の下方への変位が規制される。これにより、テンションバー３８０が過度に下方へ変位することがなく、テンションバー３８０の上端面３８１ａにより湾曲部６０ｃを適切に支持することができ、ＦＦＣ６０に座屈が発生することを抑制可能である。
【００６８】
[本実施形態おける効果]
本実施形態においては、画像処理装置１は以下のように構成されている。
つまり、画像処理装置１は、読取ヘッド５が装着されるキャリッジ５０と、筐体３１と、ＦＦＣ６０と、ホルダ７０と、テンションバー８０とを備える。キャリッジ５０は、左右方向に沿って往復移動する。筐体３１は、キャリッジ５０を収容する筐体であって、キャリッジ５０の下方に配置された底壁３１Ａと、左右方向と直交する前後方向においてキャリッジ５０の後側に配置される後側壁３１Ｂとを有する。ＦＦＣ６０は、キャリッジ５０に固定された第１固定部６０ａと、筐体３１の底壁３１Ａに固定された第２固定部６０ｂと、第１固定部６０ａと第２固定部６０ｂとを繋ぐ湾曲部６０ｃとを有する。ホルダ７０は、キャリッジ５０と後側壁３１Ｂとの間に配置され、キャリッジ５０に固定される。テンションバー８０は、左右方向に沿って長尺であり、ホルダ７０の保持部７１により左右方向にスライド可能に保持されたテンションバーであって、上面８０ａと、上面８０ａから上方へ突出し、ＦＦＣ６０における湾曲部６０ｃの内周面を支持する上端面８１ａを含む上側リブ８１とを有する。
上側リブ８１の上端面８１ａは、テンションバー８０がＦＦＣ６０の張力により後側壁３１Ｂに最も近接する位置に変位したときに、左右方向及び前後方向の両方に直交する上下方向から見て、上側リブ８１の左右方向における全長に亘って連続的にＦＦＣ６０の湾曲部６０ｃと重複する。
【００６９】
テンションバー８０がＦＦＣ６０の張力によって後側壁３１Ｂ側に最も撓んだ状態では、テンションバー８０は前後方向において後側壁３１ｂと当接する位置に変位するが、そのような状態でも上側リブ８１の上端面８１ａがＦＦＣ６０の湾曲部６０ｃと左右方向に亘って重複する位置に配置されている。従って、テンションバー８０がＦＦＣ６０の張力によって後側壁３１Ｂ側に押し出された場合でも、上端面８１ａとＦＦＣ６０とのかかり量を確保することができ、テンションバー８０によりＦＦＣ６０を適切に支持して、ＦＦＣ６０が座屈することを抑制することができる。
【００７０】
また、テンションバー８０は、前後方向において後側壁３１Ｂに最も近い第１側面８０ｂを有し、テンションバー８０の第１側面８０ｂは、前後方向において、後側壁３１Ｂと上側リブ８１との間の距離ｄ２よりも、後側壁３１Ｂとテンションバー８０の第１側面８０ｂとの間の距離ｄ１の方が短くなる位置に配置されている。
【００７１】
これにより、テンションバー８０の第１側面８０ｂが前後方向において後側壁３１Ｂと当接する位置に変位した場合でも後側壁３１Ｂと上側リブ８１との間に空間が形成され、上側リブ８１が後側壁３１Ｂから離れた位置に存在することとなるため、上端面８１ａとＦＦＣ６０とのかかり量を確保することができ、ＦＦＣ６０が座屈することを抑制することができる。
【００７２】
また、テンションバー８０は、前後方向においてキャリッジ５０に最も近い第２側面８０ｃを有し、ホルダ７０の保持部７１は、テンションバー８０の第１側面８０ｂと対面する第１保持面７１ａと、テンションバー８０を挟んで第１保持面７１ａとは反対側に配置され、第２側面８０ｃと対面する第２保持面７１ｂとを有し、第２保持面７１ｂの上下方向における寸法は第１保持面７１ａの上下方向における寸法よりも大きい。
【００７３】
このように、テンションバー８０の第２側面８０ｃを、ホルダ７０における保持部７１のキャリッジ５０側に配置される大きな面積の第２保持面７１ｂにより支持することで、テンションバー８０のキャリッジ５０に対する位置決めをより高精度に行うことができる。
【００７４】
また、上側リブ８１は、テンションバー８０の上面８０ａと上側リブ８１の上端面８１ａとを繋ぐリブ側面８１ｂであって、後側壁３１Ｂの側を向くリブ側面８１ｂを有し、ホルダ７０の保持部７１は、テンションバー８０の上面８０ａとリブ側面８１ｂとの間で形成される空間に配置されたホルダ突起部７１ｃを有する。
【００７５】
これにより、ホルダ７０のホルダ突起部７１ｃによってテンションバー８０の上面８０ａおよび上側リブ８１のリブ側面８１ｂを支持することができ、上側リブ８１が後側壁３１Ｂ側へ変位したり、テンションバー８０が捩れたりすることを抑制できる。
【００７６】
また、テンションバー１８０は、左端側に配置され、ＦＦＣ６０における湾曲部６０ｃの内周面に当接するヘッド部１８２を有し、ヘッド部１８２は、後側壁３１Ｂの側へ向けて突出するヘッド突起部１８２ａを有し、ヘッド突起部１８２ａは、前後方向においてヘッド突起部１８２ａと後側壁３１Ｂとの間の距離ｄ３が、テンションバー８０の第１側面８０ｃと後側壁３１Ｂとの間の距離ｄ１よりも短くなる位置に配置されている。
【００７７】
これにより、テンションバー８０が前後方向における後側壁３１Ｂ側に変位した場合、ヘッド突起部１８２ａが後側壁３１Ｂに当接することになり、テンションバー８０がそれ以上後側壁３１Ｂ側へ変位することが規制される。これにより、上側リブ８１の上端面８１ａとＦＦＣ６０の湾曲部６０ｃとの前後方向におけるかかり量を確保することができ、ＦＦＣ６０の座屈耐性を向上することができる。
【００７８】
また、テンションバー２８０は、下方へ向けて突出しＦＦＣ６０における湾曲部６０ｃの内周面を支持する下側リブ２８３を有し、テンションバー３８０は、下方へ向けて突出しＦＦＣ６０における湾曲部６０ｃの内周面を支持するヘッド部３８３を有する。
【００７９】
これにより、テンションバー２８０、３８０がＦＦＣ６０の湾曲部６０ｃからの張力により下方に押圧されると、下側リブ２８３およびヘッド部３８３が湾曲部６０ｃの内周面に当接してテンションバー２８０、３８０がそれ以上下方に押し下げられることが規制され、ＦＦＣ６０に座屈が発生することを抑制できる。
また、テンションバー２８０、３８０がＦＦＣ６０の湾曲部６０ｃからの張力により下方に押圧されて、下側リブ２８３およびヘッド部３８３が湾曲部６０ｃの内周面に当接すると、ＦＦＣ６０の湾曲部６０ｃが下方へ押し下げられる。これにより、ＦＦＣ６０の上方に位置するプラテンガラス３３に対する湾曲部６０ｃの当接圧力を減少させることができ、ＦＦＣ６０に座屈が発生することを抑制できる。
【００８０】
なお、上記の実施形態においては、フラットケーブルが接続されて筐体内を移動する移動体を、画像読取部に設けられる読取ヘッドおよび読取ヘッドが装着されるキャリッジに適用した例について説明したが、これに限られるものではなく、移動体を備えるものであれば、例えば画像形成部におけるインクの吐出ヘッドおよび吐出ヘッドが装着されるキャリッジ等に適用することも可能である。
また、上記の実施形態においては、側壁の一例としての後側壁３１Ｂは底壁３１Ａと一体成型されているが、後側壁３１Ｂおよび底壁３１Ａは一体成型されるものには限らない。つまり、後側壁３１Ｂと底壁３１Ａとは、別々に成型された後に、一方が他方に組みつけられる形態であってもよい。
さらに、後側壁３１ＢとＦＦＣ６０の湾曲部６０ｃとの間には、別の部材が配置されていてもよい。
【符号の説明】
【００８１】
１    画像処理装置
２    本体部
３    画像読取部
５    読取ヘッド
３１    筐体
３１Ａ  底壁
３１Ｂ  後側壁
３３    プラテンガラス
３３ａ  第１領域
５０    キャリッジ
６０    ＦＦＣ（フレキシブルフラットケーブル）
６０ａ  第１固定部
６０ｂ  第２固定部
６０ｃ  湾曲部
７０    ホルダ
７１    保持部
７１ａ  第１保持面
７１ｂ  第２保持面
７１ｃ  ホルダ突起部
８０    テンションバー
８０ａ  上面
８０ｂ  第１側面
８０ｃ  第２側面
８１    上側リブ
８１ａ  上端面
８１ｂ  リブ側面
８２    ヘッド部
１８０    テンションバー
１８２    ヘッド部
１８２ａ  ヘッド突起部
２８０    テンションバー
２８３    下側リブ
３８０    テンションバー
３８３    ヘッド部
ｄ１    後側壁と第１側面との間の距離
ｄ２    後側壁とリブ側面との間の距離
ｄ３    ヘッド突起部と後側壁との間の距離
【図１】
2019125973.tif 000003
【図２】
2019125973.tif 000004
【図３】
2019125973.tif 000005
【図４】
2019125973.tif 000006
【図５】
2019125973.tif 000007
【図６】
2019125973.tif 000008
【図７】
2019125973.tif 000009
【図８】
2019125973.tif 000010
【図９】
2019125973.tif 000011
【図１０】
2019125973.tif 000012
【図１１】
2019125973.tif 000013
【図１２】
2019125973.tif 000014
【図１３】
2019125973.tif 000015